(57)【要約】【課題】  使用する液体の粘度を簡単かつ容易にコントロールすることのできるマグネットギヤポンプを提供する。【解決手段】  このマグネットギヤポンプ１は、これを構成する圧力容器３の基端側の外周部に、加熱冷却用の媒体を循環させるパイプ部材（冷暖房部材）７が装着されているので、前記媒体を必要に応じて随時加熱もしくは冷却することができる。  さらに、このマグネットギヤポンプ１は、圧力容器３の外周部に、前記パイプ部材７を別部品として配置することによって、圧力容器としての信頼性を損なうことなく、安価でかつ効率的に圧力容器３を加熱、冷却することができる。【選択図】      図１
2017186943.tif 000002
【特許請求の範囲】
【請求項１】
ギヤポンプ主体を構成する圧力容器の開口部側の外周部に、前記圧力容器内の媒体を加熱又は冷却するためのリング状のパイプ部材を装着し、
前記パイプ部材の相対する一方側に、加熱又は冷却の媒体を供給するための供給部を、他方側に前記加熱又は冷却の媒体を排出するための排出部を設けたこと
を特徴とするマグネットギヤポンプ。
【請求項２】
前記圧力容器は、
先端側の外周部が、モータと連動する円筒状のカバーケースで覆われ、
前記カバーケースの内周に設けられたアウターマグネットに相対させて、その内周面にインナーマグネットが設けられていること
を特徴とする請求項１に記載のマグネットギヤポンプ。
【請求項３】
前記圧力容器は、
両端部が開口する装置本体内に内蔵され、
その中心に配された駆動軸の基端側の外周部に配されたギヤが、装置本体の後部開口部側に設けられたシャフトのギヤと係合し、装置本体内に設けられた排出口を介して液体を外部に排出できるよう構成されていること
を特徴とする請求項１又は２に記載のマグネットギヤポンプ。
【請求項４】
前記カバーケースは、
その先端部が、モータの駆動軸の先端部に設けられた連結子に固着されていること
を特徴とする請求項２に記載のマグネットギヤポンプ。
【請求項５】
前記カバーケースを内蔵する装置本体は、
その先端側の開口部が、モータの駆動軸の軸受部材で閉止されたもので、
前記軸受部材の内部には、所要の間隔を存して一対の軸受が配されていること
を特徴とする請求項２又は３に記載のマグネットギヤポンプ。
【発明の詳細な説明】
【技術分野】
【０００１】
この発明は、マグネットギヤポンプに関するものである。
より具体的には、使用する液体が外気温の影響を受け、その粘性に変化が生じた場合、使用に適した粘性にすることができる機能を備えたマグネットギヤポンプに係るものである。
【背景技術】
【０００２】
近時、レアアースの利用によって、磁石の磁力が飛躍的に向上している。
これを受けて、高トルクを伝達可能となったマグネット式トルクカプラーが、様々な分野において応用されている。
【０００３】
かかるマグネット式トルクカプラーを応用したギヤポンプは、圧力容器（「キャン」ともいう。）は、金属で製作され、キャンを隔てて磁力伝達が行われるため、キャンの材料は非磁性であることが求められる。
【０００４】
前記トルクカプラー方式においては、キャンは基本的に静止しているが、回転する磁束が圧力容器を通過するため、過電流がキャンの外周部に発生する。
この過電流は、閉じた円形電流なり、すべてが熱に変換される。
一方、圧力容器を非磁性金属で構成する場合、必ず渦電流損による発熱が生じる。
他方、ギヤポンプは、比較的高粘度の液体も扱うので、熱可塑性樹脂などの移送に際して、対象となる液体をコントロールすることが頻繁に行われる。
【０００５】
しかしながら、マグネットギヤポンプの場合、圧力容器を隔てて構成されるトルクカプラーの磁石の隙間が、数ミリ程度と比較的狭いため、圧力容器を効率的に加熱・冷却することが問題となっていた。
【０００６】
かかる状況に鑑み、例えば、特開２００５−２２０８６５号公報（特許文献１）においては、核熱を利用した水を原料とした熱科学ＩＳプラントの濃硫酸、およびヨウ素＋ヨウ化水素混合液に使用される、耐食性材料を用いた高温高圧用マグネットカップリング式ポンプが開示されている。
【０００７】
前記特許文献１におけるポンプは、インペラー、その回転シャフト、フロント部、ドレイン部およびリアケーシング部をＴａで構成し、そのスラストリング、回転シャフトを支えるスリーブ、そのブッシュおよびカップリングキイをセラミックで構成し、使用する重液がポンプ内部で固化した場合、その重液をセラミックヒータで加熱し、軟化させてドレインから排出することが開示されている。
【０００８】
一方、米国特許第５，２８８，２１３号明細書（特許文献２）あるいは同第５，３０８，２２９号明細書（特許文献３）には、圧力容器を効率的に加温・冷却する発明が開示されている。
【先行技術文献】
【特許文献】
【０００９】
【特許文献１】特開２００５−２２０８６５号公報
【特許文献２】米国特許第５，２８８，２１３号明細書
【特許文献３】米国特許第５，３０８，２２９号明細書
【発明の概要】
【発明が解決しようとする課題】
【００１０】
前記特許文献１〜３に記載された発明は、いずれも圧力容器を効率的に加温・冷却するものであるが、高い信頼性が求められる圧力容器内部にジャケット構造を持たせるものである。
したがって、当該ジャケット構造を持たせるには、圧力容器円筒胴としての胴板以上に板厚を持たせる必要がある。
【００１１】
そのためには、前記いずれの発明も、マグネットトルクカプラーを利用したギヤポンプとして、アウターマグネットとインナーマグネットの隙間を大きくする必要がある。
しかしながら、その結果、トルクカプラーを構成するアウターマグネットとインナーマグネットを大型化させるので、マグネットのコストが嵩むことになるので、必然的に製品価格が上昇するため、中小企業などでは採用することが難しいという問題があった。
【００１２】
この発明はかかる現状に鑑み、圧力容器の外周部に後付けで冷暖房部材を設けることによって、使用する液体の粘度を簡単かつ容易にコントロールすることのできるマグネットギヤポンプを提供せんとするものである。
【課題を解決するための手段】
【００１３】
この発明の請求項１に記載の発明は、
ギヤポンプ主体を構成する圧力容器の開口部側の外周部に、前記圧力容器内の媒体を加熱又は冷却するためのリング状のパイプ部材を装着し、
前記パイプ部材の相対する一方側に、加熱又は冷却の媒体を供給するための供給部を、他方側に前記加熱又は冷却の媒体を排出するための排出部を設けたこと
を特徴とするマグネットギヤポンプである。
【００１４】
この発明の請求項２に記載の発明は、
請求項１に記載のマグネットギヤポンプにおいて、
前記圧力容器は、
先端側の外周部が、モータと連動する円筒状のカバーケースで覆われ、
前記カバーケースの内周に設けられたアウターマグネットに相対させて、その内周面にインナーマグネットが設けられていること
を特徴とするものである。
【００１５】
この発明の請求項３に記載の発明は、
請求項１又は２に記載のマグネットギヤポンプにおいて、
前記圧力容器は、
両端部が開口する装置本体内に内蔵され、
その中心に配された駆動軸の基端側の外周部に配されたギヤが、装置本体の後部開口部側に設けられたシャフトのギヤと係合し、装置本体内に設けられた排出口を介して液体を外部に排出できるよう構成されていること
を特徴とするものである。
【００１６】
この発明の請求項４に記載の発明は、
請求項２に記載のマグネットギヤポンプにおいて、
前記カバーケースは、
その先端部が、モータの駆動軸の先端部に設けられた連結子に固着されていること
を特徴とするものである。
【００１７】
この発明の請求項５に記載の発明は、
請求項２又は３に記載のマグネットギヤポンプにおいて、
前記カバーケースを内蔵する装置本体は、
その先端側の開口部が、モータの駆動軸の軸受部材で閉止されたもので、
前記軸受部材の内部には、所要の間隔を存して一対の軸受が配されていること
を特徴とするものである。
【発明の効果】
【００１８】
この発明にかかるマグネットギヤポンプは、マグネットギヤポンプを構成する圧力容器の基端側の外周部に、加熱冷却用の媒体を循環させるパイプ部材が装着されているので、前記媒体を必要に応じて随時加熱もしくは冷却することができる。
【００１９】
特に、この発明のマグネットギヤポンプは、圧力容器の外周部に、前記パイプ部材（冷暖房部材）を別部品として配置することによって、圧力容器としての信頼性を損なうことなく、安価でかつ効率的に圧力容器を加熱、冷却することができる。
【００２０】
さらに、この発明を構成する軸受部材は、所要の間隔を存して設けられる一対の軸受で構成されるので、モータの駆動軸の回転によって発生する摩擦熱は、すべて自然対流によって系外に排出されるので、装置本体内に熱が籠ることがない。
【図面の簡単な説明】
【００２１】
【図１】この発明にかかるマグネットギヤポンプの一例を示す説明図である。
【図２】前記マグネットギヤポンプに搭載される冷暖房部材の正面図である。
【発明を実施するための形態】
【００２２】
以下、この発明にかかるマグネットギヤポンプ１の実施の一例を、添付の図面に基づいて具体的に説明する。
この発明のマグネットギヤポンプ１は、圧力容器３を内蔵する両端部が開口する円筒状の装置主体２と、モータ側に位置する先端開口部を閉止する軸受部材４と、後端開口部を閉止するギヤ保持部材１２と、前記圧力容器３の回転を前記ギヤ保持部材１２に伝達する回転シャフト６と、前記圧力容器３に外装され、前記圧力容器３内に充填する液状媒体を加熱・冷却する冷暖房部材７とから構成されている。
【００２３】
前記装置本体２の一端開口部は、モータ（図示せず）と連動する駆動軸を保持するための軸受部材４によって閉止され、他端開口部は、ギヤ保持部材１２によって閉止されるものである。
【００２４】
前記軸受部材４は、モータの駆動軸５を軸支するもので、所要の間隔を存して配される左右一対の軸受４ａ，４ｂによって構成され、前記軸受４ａ，４ｂ間には、所要の大きさの隙間Ｘが形成されている。
【００２５】
前記モータ（図示せず）の駆動軸５の先端部は、所要の間隔を存して配される左右一対の軸受４ａ，４ｂによって保持され、その先端部の連結子５ａを前記装置本体２内に突出し、当該連結子５ａに回転体８が一体的に固着される。
なお、前記軸受４ａと４ｂとの間に空隙Ｘを構成することによって、駆動軸５が回転する際に発生する熱を外気中に自然放熱させることができる。
【００２６】
前記回転体８は、一端部に前記連結子５ａと係合する受容れ部８ａを有する円筒体からなるもので、その内周部には、円筒状のアウターマグネット９が固定されている。
【００２７】
前記回転体８の内部には、先端部が閉止された円筒状の圧力容器３の先端部が挿入されている。
この圧力容器３は、その内周部に、前記アウターマグネット９に対応するインナーマグネット１０が装着された回転シャフト６の先端部が装着され、前記回転シャフト６の基端部近傍の外周部には、前記ギヤ保持部材１２のギヤ１２ａが外装されている。
【００２８】
前記ギヤ１２ａはギヤ１２ｂと連動するとともに、前記ギヤ１２ｂは、前記装置本体２の他端開口部側に配置されたシャフト１１と連動するもので、このシャフト１１の回転によって装置本体２内に充填させて液状媒体を、排出口１３を介して外部に排出できるよう構成されている。
【００２９】
前記圧力容器２内に充填する液状媒体を加熱・冷却する冷暖房部材７は、図２に示すように、前記圧力容器３の外径とほぼ等しい内径を有する中空のリング部材（リング状のパイプ部材）７ａの相対する部位の外周部の一方側に、暖冷房用の液体もしくは気体を供給する供給パイプ７ｂを、他方側に供給された液体もしくは気体を排出する排出パイプ７ｃを設けたものである。
【００３０】
かかる構成において、前記装置主体２内に粘性を有する液体を充填して使用する場合、外気温が低くて充填した液体の粘度が上がった場合には、圧力容器３の外周部に配した暖冷房部材７に熱又は温かいスチームを送り込み、その粘性を下げるものである。
【００３１】
一方、充填した液体の粘性が高い場合には、冷暖房部材７に冷気もしくは温度の低いスチームを送り込むことによって、充填した液体の温度を引き下げることによって、その粘性を下げるものである。
【００３２】
この発明のマグネットギヤポンプは、以上述べたように、圧力容器内に充填した粘性を有する液体が、外気温の高低によって粘性に変化が生じた場合、冷暖房部材を作動させることによって、求められる液体の粘性を最適に維持することができる。
しかも、液状媒体を常に最適に維持するための構成が、きわめて簡単かつ容易であるため、町工場などにおいて経済的に利用することができる。
【産業上の利用可能性】
【００３３】
この発明のマグネットギヤポンプは、従来の温度調整機能を有しないマグネットギヤポンプの外周部に、冷暖房部材を簡単かつ容易に後付けすることができるので、セラミックヒータを使用する公知のマグネットギヤポンプに比し、マグネットギヤポンプ自体の構造を変える必要がなく、中小企業などが積極的に利用できる技術である。
【符号の説明】
【００３４】
１          マグネットギヤポンプ
２          装置主体
３          圧力容器
４          軸受部
４ａ，４ｂ  軸受
５          駆動軸
５ａ        連結子
６          回転シャフト
７          冷暖房部材
７ａ        リング部材
７ｂ        供給パイプ
７ｃ        排出パイプ
８          回転体
９          アウターマグネット
１０        インナーマグネット
１１        シャフト
１２        ギヤ保持部材
１２ａ      ギヤ
１２ｂ      ギヤ
１３        排出口
【図１】
2017186943.tif 000003
【図２】
2017186943.tif 000004
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
ギヤポンプ主体を構成する圧力容器の開口部側の外周部に、前記圧力容器内の媒体を加熱又は冷却するためのリング状のパイプ部材を装着し、
前記パイプ部材の相対する一方側に、加熱又は冷却の媒体を供給するための供給部を、他方側に前記加熱又は冷却の媒体を排出するための排出部を設け、
前記圧力容器は、先端側の外周部が、モータと連動する円筒状のカバーケースで覆われ、内周部に、前記カバーケースの内周に設けられたアウターマグネットに相対させて、インナーマグネットが設けられた回転シャフトの先端部が装着され、
前記カバーケースは、その先端部が、モータの駆動軸の先端部に設けられた連結子に固着されていること
を特徴とするマグネットギヤポンプ。
【請求項２】
前記圧力容器は、
円筒状のものであること
を特徴とする請求項１に記載のマグネットギヤポンプ。
【請求項３】
前記圧力容器は、
両端部が開口する装置本体内に内蔵され、
その中心に配された駆動軸の基端側の外周部に配されたギヤが、装置本体の後部開口部側に設けられたシャフトのギヤと係合し、装置本体内に設けられた排出口を介して液体を外部に排出できるよう構成されていること
を特徴とする請求項１又は２に記載のマグネットギヤポンプ。
【請求項４】
前記カバーケースを内蔵する装置本体は、
その先端側の開口部が、モータの駆動軸の軸受部材で閉止されたもので、
前記軸受部材の内部には、所要の間隔を存して一対の軸受が配されていること
を特徴とする請求項１〜３のいずれかに記載のマグネットギヤポンプ。
【請求項５】
前記一対の軸受間には、所要の大きさの隙間が形成されていること
を特徴とする請求項４に記載のマグネットギヤポンプ。
【手続補正２】
【補正対象書類名】明細書
【補正対象項目名】００１３
【補正方法】変更
【補正の内容】
【００１３】
この発明の請求項１に記載の発明は、
ギヤポンプ主体を構成する圧力容器の開口部側の外周部に、前記圧力容器内の媒体を加熱又は冷却するためのリング状のパイプ部材を装着し、
前記パイプ部材の相対する一方側に、加熱又は冷却の媒体を供給するための供給部を、他方側に前記加熱又は冷却の媒体を排出するための排出部を設け、
前記圧力容器は、先端側の外周部が、モータと連動する円筒状のカバーケースで覆われ、内周部に、前記カバーケースの内周に設けられたアウターマグネットに相対させて、インナーマグネットが設けられた回転シャフトの先端部が装着され、
前記カバーケースは、その先端部が、モータの駆動軸の先端部に設けられた連結子に固着されていること
を特徴とするマグネットギヤポンプである。
【手続補正３】
【補正対象書類名】明細書
【補正対象項目名】００１４
【補正方法】変更
【補正の内容】
【００１４】
この発明の請求項２に記載の発明は、
請求項１に記載のマグネットギヤポンプにおいて、
前記圧力容器は、
円筒状のものであること
を特徴とするものである。
【手続補正４】
【補正対象書類名】明細書
【補正対象項目名】００１６
【補正方法】変更
【補正の内容】
【００１６】
この発明の請求項４に記載の発明は、
請求項１〜３のいずれかに記載のマグネットギヤポンプにおいて、
前記カバーケースを内蔵する装置本体は、
その先端側の開口部が、モータの駆動軸の軸受部材で閉止されたもので
前記軸受部材の内部には、所要の間隔を存して一対の軸受が配されていること
を特徴とするものである。
【手続補正５】
【補正対象書類名】明細書
【補正対象項目名】００１７
【補正方法】変更
【補正の内容】
【００１７】
この発明の請求項５に記載の発明は、
請求項４に記載のマグネットギヤポンプにおいて、
前記一対の軸受間には、所要の大きさの隙間が形成されていること
を特徴とするものである。